Podtech/llm-jp-corpus-v4-ja_patent huggingface dataset:
(57)【要約】      （修正有）【課題】この考案は内燃機関の吸入空気に，試薬を用いて酸素ガス，水素ガスを自動弁を介して発生させ，燃焼用吸入空気に混入することにより燃料消費率を改善する燃料用吸入空気成分改質装置の提供。【解決手段】Ａ系統時は試薬１として，オキシドール水又は過酸化水素水を試薬２としての酸化マンガンに注入制御することで酸素ガスを発生させる。Ｂ系統時は試薬１として燃料用メタノールを試薬２としての精製水に注入制御することで水素ガスを発生させる。発生ガスを燃焼用吸入空気に混入する。【選択図】図１
0003102708.tif 000002
【実用新案登録請求の範囲】
【請求項１】
▲１▼  空気流量検出センサー１の信号変化量に基づき制御回路で比例制御出力を自動弁１に出力制御する。
▲２▼  試薬１を自動弁１を介して試薬２に注入制御反応させて，Ａ系統では酸素ガスを，Ｂ系統では水素ガスを，Ａ，Ｂの２系統の時は酸素ガスと水素ガスを発生させ，内燃機関の燃焼用吸入空気に混合し，実際の燃焼用吸入空気を部分的に改質する事を目的とする燃焼用吸入空気成分改質装置。
【考案の詳細な説明】
【０００１】
【考案の属する技術分野】この考案は車載用内燃機関の燃焼用吸入空気に本装置で発生させた酸素ガス，水素ガスを加え，燃焼時の爆発力を高める技術である。
【０００２】
【従来の技術】従来の車載用内燃機関の燃焼用吸入空気は吸入量等の少しの因子で制御されていた。その為，夏，冬，高地での燃焼効率の更なる向上が求められている。
【０００３】
【考案が解決しようとする課題】本案の装置に示す通り，試薬１，試薬２を使用し各々の系統で酸素ガス，水素ガスを，空気流量検出センサー１と制御回路１で制御された自動弁１を通じ注入制御することにより，発生させ燃焼用吸入空気に混合させ，燃焼効率を向上させる事が課題である。
【０００４】
【課題を解決するための手段】▲１▼  図面の図１．の通り試薬１，試薬２（触媒），試薬容器１，試薬容器２（触媒用），空気流量検出センサー１，制御回路１，配線を用意する。これを１系統とし，Ａ系統とする。更に１系統用意しＢ系統とする。
▲２▼  Ａ系統の試薬１にはオキシドール水，または過化水素水を，試薬２には酸化マンガンを各試薬容器１，２に入れる。
▲３▼  Ｂ系統の試薬１には燃料用メタノール，試薬２には精製水を各試薬容器１，２に入れる。
▲４▼  空気流量検出センサーの信号に基づき，制御回路１と連動した自動弁１から試薬１が試薬２に注入制御される。
▲５▼  Ａ系統の試薬容器２には酸素ガスが，Ｂ系統の試薬容器２には水素ガスが発生し，各々ホース１にて燃焼用空気導入口に導かれ内燃機関の燃焼に供されることにより課題が解決された。
【０００５】
【考案の実施の形態】図面の図１．の通り部品，回路，配線の取付け，試薬の充填を自家用自動車に施し実施の形態が出来る。
【０００６】
【考案の効果】燃焼用吸入空気にＡ系統の時は酸素ガスが，Ｂ系統の時は水素ガスが，Ａ，Ｂの２系統の時は酸素ガスと水素ガスが混入し，燃焼用吸入空気の改質が見られ燃料消費率が向上した。
【０００７】
【使用・動作の説明】
１．Ａ系統時は▲２▼試薬容器１には▲１▼試薬１としてオキシドール水，または過酸化水素水を▲４▼試薬容器２には▲３▼試薬２として酸化マンガンを充填する。
２．Ｂ系統時は▲２▼試薬容器１には▲１▼試薬１として燃料用メタノールを▲４▼試薬容器２には▲３▼試薬２として精製水を充填する。
３．エンジン動作時は▲５▼空気流量検出センサー１から信号が発生し▲７▼制御回路１で処理され，出力として▲６▼自動弁１を動作させる。
４．▲６▼自動弁１を通って▲１▼試薬１が注入制御される。
５．Ａ系統時は酸素ガスが，Ｂ系統時は水素ガスが発生し，▲８▼ホース１を介し，▲９▼燃焼用空気導入口にてパージされ燃焼に供される。
６．エンジン停止時は，上記３．の▲６▼自動弁１が閉動作する。
【図面の簡単な説明】
【図１】本考案の回路，ブロック図
【符号の説明】
▲１▼試薬１
▲２▼試薬容器１
▲３▼試薬２
▲４▼試薬容器２
▲５▼空気流量検出センサー１
▲６▼自動弁１
▲７▼制御回路１（電源，ヒューズ付）
▲８▼ホース１
▲９▼燃焼用空気導入口
【図１】
0003102708.tif 000003
【手続補正書】
【提出日】平成15年6月20日(2003.6.20)
【手続補正１】
【補正対象書類名】明細書
【補正対象項目名】実用新案登録請求の範囲
【補正方法】変更
【補正の内容】
【実用新案登録請求の範囲】
【請求項１】
試薬容器１，試薬１，試薬容器２，試薬２，燃焼用空気導入口に設置された空気流量検出センサー１，試薬容器１と試薬容器２間の配管に設置された自動弁１，自動弁１を制御する制御回路，試薬容器２から燃焼用空気導入口迄設置されたホース１の装置構成で，使用時は試薬容器１には試薬１（Ａ系統時はオキシドール又は過酸化水素水，Ｂ系統時は燃料用メタノール）を充填し，空気流量検出センサー１の信号変化量に基き制御回路１で変換された制御出力により駆動される自動弁１を介し，試薬容器２の予め充填された試薬２（Ａ系統時は酸化マンガン，Ｂ系統時は精製水）と反応させ，Ａ系統からは酸素ガス，Ｂ系統からは水素ガスを発生させ，ホース１を通じて燃焼用空気導入口に導き，内燃機関の燃焼用空気成分の改質を目的とする装置。
【手続補正書】
【提出日】平成15年9月30日(2003.9.30)
【手続補正１】
【補正対象書類名】明細書
【補正対象項目名】実用新案登録請求の範囲
【補正方法】変更
【補正の内容】
【実用新案登録請求の範囲】
【請求項１】
Ａ系統，Ｂ系統の２系統を有した構成で，Ａ系統ではポリエチレン製小型容器に試薬としてオキシド−ルまたは過酸化水素水を充填し，この容器とホ−ス接続された酸化マンガンを充填した別のポリエチレン製小型容器に燃焼用空気流量センサ−により制御された自動弁を介し，オキシド−ルまたは過酸化水素水を注入し酸素ガスを発生させる。Ｂ系統ではポリエチレン製小型容器に燃料用メタノ−ルを充填し，この容器とホ−ス接続された精製水を充填した別のポリエチレン製小型容器に燃焼用空気流量センサ−により制御された自動弁を介し，燃料用メタノ−ルを注入し水素ガスを発生させる。
Ａ系統，Ｂ系統で発生させた酸素ガス，水素ガスを燃焼用空気導入口に導き，空気に同伴させ，スパ−クプラグ点火式内燃機関，ディ−ゼル内燃機関の燃焼用吸入空気成分の改質を目的とした装置。
【手続補正書】
【提出日】平成16年1月27日(2004.1.27)
【手続補正１】
【補正対象書類名】明細書
【補正対象項目名】実用新案登録請求の範囲
【補正方法】変更
【補正の内容】
【実用新案登録請求の範囲】
【請求項１】
ポリエチレン製小型容器に試薬としてオキシドールまたは過酸化水素水を充填し，この容器とホース接続された酸化マンガンを充填した別のポリエチレン製小型容器に燃焼用空気流量センサーにより制御された自動弁を介し，オキシドールまたは過酸化水素水を注入し酸素ガスを発生させ，その酸素ガスを燃焼用吸入空気に混合する装置。
【請求項２】
ポリエチレン製小型容器に試薬として燃料用メタノールを充填し，この容器とホース接続された精製水を充填した別のポリエチレン製小型容器に燃焼用空気流量センサーにより制御された自動弁を介し，燃料用メタノールを注入し水素ガスを発生させ，その水素ガスを燃焼用吸入空気に混合する装置。
(57)【要約】      （修正有）【課題】一つの仕切の中の書籍収容率を改善し、段違いに書籍を収納しても本の題名が隠れないようにした本箱書籍収容率改善台を提供する。【解決手段】２つの台脚５と、各台脚間を結合する横板６とを結合し、それを本箱の仕切りとなる仕切板上に置くことで、仕切り板の前面に空きができるようになっており、仕切板上の空き部分と、台脚及び横板状とで段違いに書籍を収容する。【選択図】図３
0003102710.tif 000002
【実用新案登録請求の範囲】
【請求項１】
本箱の書籍収容率を改善するための台
【考案の詳細な説明】
【考案の詳細な説明】
市販されている本箱は、一般には、仕切板の奥行きが３０ｃｍ位あり、Ｂ６・Ａ５判書籍の場合で約１５ｃｍ、文庫・新書判書籍の場合には約２０ｃｍの空きが前面に生じ、図１の様に収容効率が悪い。
本考案は、この問題を改善し本箱の書籍収容率を改善するためのものである。
本考案の本箱書籍収容率改善台を置くことにより、図２の様に一つの仕切の中に数段に書籍が収容でき書籍収容率が改善できる。
本考案の本箱書籍収容率改善台は、本のサイズ、本箱の仕切板サイズの違いに柔軟に対応できるように工夫がなされている。
図３に示した本考案の本箱書籍収容率改善台は、Ｂ６・Ａ５判と文庫・新書判に対応するようにしたものであるが他のサイズの書籍についてもこの工夫が応用できる。
本箱書籍収容率改善台は段違いに書籍を収納しても本の題名が隠れないように工夫されている。
本箱の横幅は区々であり、たとえば本箱内の仕切り板は２４ｃｍ位から５５ｃｍ位が一般的であり、本箱仕切り板の横幅の違いに対応できる工夫が必要である。そのために本考案では、本箱書籍収容率改善台を台脚と台脚間を横板台で結合する方式としている。
横板台は、各種の仕切板の幅に対応できるように、長めに作られており、それぞれの本箱の仕切板の幅に合わせて切断して使うようにしている。
本箱書籍収容率改善台の材質は問わないが、横板台についてはスチロール製の材料であれば個人の切断加工が容易になる。
【図面の簡単な説明】
【図１】市販の本箱に、本考案の本箱書籍収容率改善台を使用せずに、書籍を収容した状態の本箱の横断面図である。
【図２】本箱に、本考案の本考案の本箱書籍収容率改善台を使用し、Ｂ６・Ａ５判と文庫・新書判の書籍を段違いに収容した場合の横断面図である。
【図３】本考案の本箱書籍収容率改善台のうち、Ｂ６・Ａ５判用の書籍用の台脚と横板台、ならびにこれらを組み合わせた場合の斜視図である。
【図４】本考案の本箱書籍収容率改善台のうち、文庫・新書判用の書籍用の台脚と横板台、ならびにこれらを組み合わせた場合の斜視図である。
【符号の説明】
▲１▼  本箱
▲２▼  仕切板
▲３▼  書籍
▲４▼  本箱書籍収容率改善台
▲５▼  Ｂ６・Ａ５判用の台脚
▲６▼  横板台
▲７▼  文庫・新書判用台脚の左
▲８▼  文庫・新書判用台脚の右
【図１】
0003102710.tif 000003
【図２】
0003102710.tif 000004
【図３】
0003102710.tif 000005
【図４】
0003102710.tif 000006
【手続補正書】
【提出日】平成15年10月8日(2003.10.8)
【手続補正１】
【補正対象書類名】実用新案登録請求の範囲
【補正対象項目名】全文
【補正方法】変更
【補正の内容】
【実用新案登録請求の範囲】
【請求項１】
本箱の書籍収容率を改善するため、台脚と台脚間を結合するための横板台からなっている本箱書籍収容率改善台である。本のサイズ、本箱の仕切板サイズの違いに柔軟に対応できるように工夫しされており、この台の実用化により、本箱の一つの仕切板上に、奥行き方向に複数段にわたり、本の収容が可能になる。
【手続補正書】
【提出日】平成16年1月14日(2004.1.14)
【手続補正１】
【補正対象書類名】実用新案登録請求の範囲
【補正対象項目名】全文
【補正方法】変更
【補正の内容】
【実用新案登録請求の範囲】
【請求項１】
本箱の書籍収容率を改善するための台であって、
上記本箱の仕切りとなる仕切板上に置かれた２つの台脚と、
上記各台脚間を結合する横板とからなり、
上記台脚及び横板が上記仕切板上に結合して置かれた際に、上記仕切り板の前面に空きができるようになっており、当該仕切板上の空き部分と上記台脚及び横板上とで段違いに書籍を収容する、ことを特徴とする本箱書籍収容率改善台。
(57)【要約】【課題】自然な景観に施工可能で、水質浄化作用が大きい護岸構造を提供する。【解決手段】炭マット１１は、炭を入れた柔軟性の袋から成る。炭マット１１の内部には、炭とともに植物１３の種子１３aおよび肥料が入れられている。岩石１２は、柔軟性のシート１４の上に複数、貼り付けられている。法面などの地盤１の上に複数の炭マット１１を敷設し、炭マット１１の層を設ける。炭マット１１の層の上に、岩石１２を貼り付けたシート１４を載せ、岩石１２の層を設ける。複数のアンカー１５を、シート１４の上から地盤１へと打ち込む。アンカー１５は、シート１４および炭マット１１を貫通して、シート１４および炭マット１１を地盤１に固定する。【選択図】図１
0003102781.tif 000002
【実用新案登録請求の範囲】
【請求項１】
地盤の上に炭マットの層を設け、前記炭マットの層の上に岩石の層を設けて成ることを特徴とする護岸構造。
【請求項２】
前記炭マットは植物の種子および肥料を含んでいることを、特徴とする請求項１記載の護岸構造。
【考案の詳細な説明】
【技術分野】
【０００１】
本考案は、河川などの護岸構造に関する。
【背景技術】
【０００２】
従来、河川などの護岸構造として、護岸法面に砂利層を設け、その上に自然石を載せてネットで固定する石張りネット工法によるものがある（例えば、特許文献１参照）。
また、河川の浄化作用を有する護岸構造として、護岸用構造体内に水質浄化材を装填したものもある（例えば、特許文献２参照）。
【０００３】
【特許文献１】特開平８−１５８３４４号公報
【特許文献２】特開２００３−２６８７４４号公報
【考案の開示】
【考案が解決しようとする課題】
【０００４】
しかしながら、水質浄化作用を有する従来の護岸構造では、景観が人工的で美観を損なううえ、水質浄化作用が十分でないという課題があった。
【０００５】
本考案は、このような従来の課題に着目してなされたもので、自然な景観に施工可能で、水質浄化作用が大きい護岸構造を提供することを目的とする。
【課題を解決するための手段】
【０００６】
上記目的を達成するために、本考案に係る護岸構造は、地盤の上に炭マットの層を設け、前記炭マットの層の上に岩石の層を設けて成ることを特徴とする。
【０００７】
本考案に係る護岸構造は、炭マットの層の上に岩石の層を設けて成るため、岩石による自然な景観に施工することができる。また、炭マットの炭の作用により、河川水や雨水などの水質を浄化することができる。
【０００８】
本考案に係る護岸構造は、法面に設けられていることが好ましい。炭マットや岩石の層は、ずれないようにネットやアンカーなどで固定されてもよい。岩石は、あらかじめ炭マットに固定され、一体的に施工されてもよい。岩石の層は、シートの上に複数の岩石を貼り付けて成っていることが好ましい。
【０００９】
本考案に係る護岸構造で、前記炭マットは植物の種子および肥料を含んでいてもよい。この場合、種子および肥料により施工後に植物が生えて緑化されるため、より自然な景観を得ることができる。
【考案の効果】
【００１０】
本考案によれば、自然な景観に施工可能で、水質浄化作用が大きい護岸構造を提供することができる。
【考案を実施するための最良の形態】
【００１１】
以下、図面に基づき本考案の実施の形態について説明する。
図１は、本考案の実施の形態の護岸構造を示している。
図１に示すように、護岸構造１０は、炭マット１１の層と岩石１２の層とを有している。
【００１２】
炭マット１１は、炭を入れた柔軟性の袋から成っている。炭マット１１の内部には、炭とともに植物１３の種子１３aおよび肥料が入れられている。
岩石１２は、人頭大の自然石から成る。岩石１２は、柔軟性のシート１４の上に拡張アンカーおよび接着剤により複数、貼り付けられている。
【００１３】
護岸構造１０は、次のように施工される。まず、法面などの地盤１の上に複数の炭マット１１を隙間なく敷設し、炭マット１１の層を設ける。炭マット１１の層の上に、岩石１２を貼り付けたシート１４を載せ、岩石１２の層を設ける。複数のアンカー１５を、シート１４の上から地盤１へと打ち込む。アンカー１５は、シート１４および炭マット１１を貫通して、シート１４および炭マット１１を地盤１に固定する。こうして、護岸構造１０を設けることができる。
【００１４】
次に、作用について説明する。
図１に示すように、護岸構造１０は、河川２の法面の浸食を防止するために、河川２の法面に設けられている。護岸構造１０は、炭マット１１の層の上に岩石１２の層を設けて成るため、岩石１２による自然な景観に施工することができる。また、施工後に炭マット１１の中の種子１３aおよび肥料により植物１３が生えて法面が緑化されるため、より自然な景観を得ることができる。
【００１５】
護岸構造１０は、炭マット１１の炭の作用により、河川２の水や雨水などの水質を浄化することができる。炭マット１１およびシート１４は柔軟性の素材から成るため、地盤１に多少の凹凸があっても、その凹凸に合わせて設けることができる。
【００１６】
なお、護岸構造１０は、炭マット１１があらかじめシート１４の下に貼り付けられていてもよい。この場合、炭マット１１を下側にして炭マット１１の層および岩石１２の層を同時に地盤１の上に設けることができる。また、岩石１２を施工現場でシート１４に貼り付けてもよい。これにより、施工現場で採れる岩石を岩石１２の層として有効に利用することができる。さらに、効果的に緑化を行うために、施工後、岩石１２の隙間に覆土を行ってもよい。
【図面の簡単な説明】
【００１７】
【図１】本考案の実施の形態の護岸構造の使用状態を示す断面図である。
【符号の説明】
【００１８】
１    地盤
２    河川
１０  護岸構造
１１  炭マット
１２  岩石
１３  植物
１４  シート
１５  アンカー
【図１】
0003102781.tif 000003
(57)【要約】      （修正有）【課題】足底アーチが変形した際の歩行時の違和感を軽減する足底アーチ矯正サポートを提供する。【解決手段】サポーター内側面に設けた袋状の収納部1に温熱材・足底アーチ矯正パットの順に1枚ずつ重ねて収納し、サポーター固定部2・3・4・5で装着しサポーターを足底に安定固定させる。【選択図】図１
0003102783.tif 000002
【実用新案登録請求の範囲】
【請求項１】
サポーター内側面に設けた袋状に温熱材・足底アーチ矯正パットの順に一枚ずつ重ねて収納する収納部・足底アーチパット・温熱材を有するサポーター。
【考案の詳細な説明】
【技術分野】
【０００１】  本案は、サポーターに足底アーチ矯正パットと温熱材を装着し、歩行を潤滑に行わせるものである。
【背景技術】
【０００２】  従来歩行時の違和感の軽減違和感軽サポーターには、アーチ矯正パットの矯正具と温熱材を併用したものは無く、矯正具だけの装着は方向などの違和感軽減に限界があった。
【考案の開示】
【考案が解決しようとする課題】
【０００３】  本案は、定温を併用した足底アーチ矯正に着目し、足部関節の潤滑な稼動を実現する為、足底サポーターを開発しようとするものである。
【課題を解決するための手段】
【０００４】  本案は、サポーター内側部に足底アーチ矯正パット・温熱材を有し、足底アーチに適合した足底アーチ矯正パットと温熱材が歩行を助けるものである。
【考案の効果】
【０００５】  本案は、従来の矯正具だけの違和感軽減軽サポーターに対し足底アーチ矯正パットで本来の足底アーチを復元し、温熱材で足部の冷えを軽減し潤滑な歩行を実現するものである。
【考案を実施するための最良の形態】
【０００６】  図１に表わしたように、サポーター内側面に設けた袋状の収納部１に温熱材・足底アーチ矯正パットの順に１枚ずつ重ねて収納し、サポーター固定部２・３・４・５で装着しサポーターを足底に安定固定させる。サポーター装着歩行時、矯正パットの厚みが、本来の足底アーチの形状を復元し、構成異常による歩行時の違和感を消失する効果を目的とする。同時に装着された熱材が温熱効果を促し、足部の冷えを軽減し足部関節の潤滑な運動を助ける事で歩行時の違和感の軽減を助ける。
【図面の簡単な説明】
【０００７】
【図１】本案の収納部を示す平面図である。
【図２】本案の収納部を示す斜視図である。
【図３】本案の装着時を示す正面図である。
【図４】本案の装着時を示す側面図である。
【符号の説明】
１  足底アーチ矯正パット・温熱材収納部
２  サポーター固定部
３  サポーター固定部
４  サポーター固定部
５  サポーター固定部
６  足底アーチ矯正パット
７  温熱材
【図１】
0003102783.tif 000003
【図２】
0003102783.tif 000004
【図３】
0003102783.tif 000005
【図４】
0003102783.tif 000006
(57)【要約】      （修正有）【課題】キャップとしてペットボトルと一体に持ち歩けるコップであり、ペットボトル内の飲み物を飲用する際に利用できるペットボトル用コップを提供する。【解決手段】持ち運びの際はペットボトル本体に反転してかぶせ、内面底部に建けられたネジ部をペットボトル本体のネジ部にねじ込むことによりペットボトルを密閉できるとともに、ペットボトルと一体として持ち運べる。コップとして利用する場合はコップ本体をひねってペットボトル本体から取り外し反転してコップとして利用する。【選択図】図２
0003102784.tif 000002
【実用新案登録請求の範囲】
【請求項１】
底面の内側にネジ部を設け、反転してコップとして利用できるペットボトル用キャップ
【考案の詳細な説明】
【技術分野】
【０００１】本考案は底部の内面にネジ部を設け、ペットボトルのキャップとして使用できるコップに関するものである。
【背景技術】
【０００２】ペットボトル内の飲み物を飲用する場合は直接飲用するか別にコップを準備して飲用していた。
【考案の開示】
【考案が解決しようとする課題】
【０００３】ペットボトル内の飲み物をコップで飲用する場合は別にコップを準備しなければならず、持ち運びの際にも不便であった。
【課題を解決するための手段】
【０００４】本提案は底面の内側にネジ部を設け、キャップとして利用できるペットボトル用コップであり、キャップとしてペットボトル本体と一体にして持ち運びできることにより上記の問題点を解決している
【考案の効果】
【０００５】上述のように本考案はキャップとしてペットボトル本体と一体にできるため、持ち運びの際にもかさばらず、必要に応じてコップとして利用できるため、ペットボトル内の飲み物を飲用する際に便利である。
【考案を実施するための最良の形態】
【０００６】持ち運びの際はペットボトル本体に反転してかぶせ、内面底部に設けられたネジ部をペットボトル本体のネジ部にねじ込むことによりペットボトルを密閉できるとともに、ペットボトルと一体として持ち運べる。
コップとして利用する場合はコップ本体をひねってペットボトル本体から取り外し反転してコップとして利用する。
【図面の簡単な説明】
【０００７】
【図１】本考案の外観図である。
【図２】本考案を反転して、ペットボトルにねじ込んだ場合の断面図である。
【符号の説明】
【０００８】１  コップ本体
２  底部ネジ部
【図１】
0003102784.tif 000003
【図２】
0003102784.tif 000004
(57)【要約】【課題】  既製品の電子体温計で検温をした場合、電子音などで寝ている子供や老人を起こすことや、検温が終了したことに気づきにくいことがあるので、そのデメリットを打破することが目的である。【解決手段】  従来品のように電子体温計の検温終了時の合図は、音や振動で知らせることをせず、検温中は画面が点滅していることによって、検温中であることを知らせ、検温が終了した際には、その点滅が点灯することによって検温の終了を知らせるようにした。  また、検温を脇などする場合、デジタルモニターが見えにくいこともあるので、体温計の最上部にランプを設置し、デジタルモニターと連動し、点滅、点灯の動作するようにした。【選択図】  図１
0003102788.tif 000002
【実用新案登録請求の範囲】
【請求項１】
デジタルモニター・最上部ランプ・モニター表示が検温時に点滅すること、そして、検温終了時に点灯する機能を備えた体温計。
【考案の詳細な説明】
【技術分野】
【０００１】  この考案は、音をたてずに暗がりで正しく、かつすばやく体温を知ることができる体温計に関するものである。
【背景技術】
【０００２】  従来の体温計は、暗がりで音をたてずにすばやく体温を知ることができなかった。
【考案が解決しようとする課題】
【０００３】  従来の電子体温計で、検温が終了したことを知らせるために、電子音を使っているものがある。その場合、寝ている子供や高齢者または病人を起こしてしまうことがある。また、無音のもので、画面表示だけで検温が修了したことを知らせるものもあるが、検温が修了したことを気がつかず正確に検温ができていない場合などがある。
【考案が解決する為の手段】
【０００４】  検温中はデジタルモニターが点滅し、検温が終了するとデジタルモニターが点灯する。また、検温を脇などでする場合、デジタルモニターが見えにくくなるということもあるので、体温計の最上部にランプを設置し、デジタルモニターと連動し、点滅、点灯の動作をするようにした。
【考案の効果】
【０００５】  寝ている子供や高齢者または病人に気をつかうことなく、検温が終了することができ、暗い場所でも終了したことがわかりやすく、デジタルモニターをみることができる。
【考案を実施するための最良の形態】
【０００６】  １のデジタルモニターと２の最上部ランプは、検温中は点滅し、検温していることを知らせてくれる。そして、検温が終了すると１のデジタルモニターと２の最上部ランプは点灯することによって検温が終了したことを知らせてくれる。
【図面の簡単な説明】
【図１】  本考案の斜視図
【符号の説明】
１．デジタルモニター
２．最上部ランプ
３．検温部
【図１】
0003102788.tif 000003
(57)【要約】【課題】  本考案は、狭いすき間の、曲がりくねった所や深い隅の所や高い所などのほこりやごみを吸い取ることの可能な細口ノズルを提供する。【解決手段】  本考案は、接続管１にホース２を接続し、また、接続管１とホース２を一体に成形して、ノズルを自在に動かすことが可能であることにより、狭くて曲がりくねったすき間のほこりやごみを、また、ホース２の先にパイプ３を接続して、ノズルの先を細かい所まで届けることが可能であることにより、深くて狭いすき間の隅のほこりやごみを、さらにまた、パイプ３の先に針金を巻いたホース４を接続して、ノズルの先を自在に変形しかつ所望の形状に固定できることにより、鴨居の上や障子の桟のような高くて狭い所のほこりやごみを吸い取ることに役立つ。【選択図】  図２
0003102785.tif 000002
【実用新案登録請求の範囲】
【請求項１】
柔軟で自在に曲がる中空のホースと、一方の口がこのホースに接続可能な太さで他方の口が電気掃除機の吸い込み口に直接接続できる太さの接続管とをつなぎ合わせて一体化したものを、電気掃除機の吸い込み口に着脱可能としたことを特徴とする細口ノズル
【請求項２】
請求項第１項のホースと接続管を一体に成形し、電気掃除機の吸い込み口に着脱可能としたことを特徴とする細口ノズル
【請求項３】
硬くて細長いパイプを請求項第１項または請求項第２項のノズルの先に接続して一体化したものを、電気掃除機の吸い込み口に着脱可能としたことを特徴とする細口ノズル
【請求項４】
柔軟なホースの周囲に針金を巻くことにより、自在に変形可能でかつ所望の形状に固定することのできるホースを、請求項第３項のパイプの先に接続して、電気掃除機の吸い込み口に着脱可能としたことを特徴とする細口ノズル
【考案の詳細な説明】
【技術分野】
【０００１】  本考案は、掃除機の吸い込み口に接続管を接続し、これにホースを、さらにパイプ・針金を巻いたホースを接続した細口ノズルに関するものである。（図２）
【背景技術】
【０００２】  以前から、すき間ノズルはある。それは、硬質でできており、形状は図１のようで、そのサイズは、長さが約１５０ｍｍのものや３００〜９００ｍｍに伸縮できるもの、厚さが約３０ｍｍ、幅が約１５ｍｍ、吸い口の広さが約５ｍｍ×７０ｍｍである。
【考案が解決しようとする課題】
【０００３】  従来のすき間ノズルには、次のような問題点がある。
（ア）硬質で自在に向きを変えることができないので、狭くて曲がりくねったすき間や、高くて狭い所のほこりやごみを吸い取ることが困難である。
（イ）吸い口が広いので、深くて狭いすき間の隅のほこりやごみを吸い取ることが困難である。
本考案は、これらの問題点を解決している。
【課題を解決するための手段】
【０００４】（ア）図３のように接続管１にホース２を接続したものを作る。これで、ノズルを自在に動かすことにより、０００３のアの狭くて曲がりくねったすき間とイの問題点を解決している。
・接続管１は、硬質で、サイズは、例えば、長さが約１００ｍｍ、太さは一方の端の外径が３０ｍｍ、もう一方の外径が１０〜１３ｍｍ、中間の外径が３２ｍｍくらいである。
・ホース２は、柔軟で自在に曲がって細長く、サイズは、例えば、内径が１０〜１３ｍｍ長さが５００〜８００ｍｍくらいである。
なお、接続管１にホース２を一体に成形したものでも、同様の機能を有することは言うまでもない。（図４）
（イ）図５のようにホース２の先にパイプ３を接続したものを作る。これで、ノズルの先を深くて狭いすき間の隅まで届かせることにより、０００３のイの問題点を解決している。
・パイプ３は、硬くて細長く、サイズは、例えば、外径が１０〜１３ｍｍ、長さが６００〜１０００ｍｍくらいである。
（ウ）図６のようにパイプ３の先に、さらに、針金を巻いたホース４を接続したものを作る。これで、ノズルの先端を自在に曲げかつ所望の形状に固定することにより、０００３のアの高くて狭い所の問題点を解決している。
・針金を巻いたホース４は、柔軟で自在に曲がり、サイズは、例えば、ホースの内径は１０〜１３ｍｍくらいで、針金は太さが１．５〜２ｍｍくらいのものをホースの外側に５〜８ｍｍくらいの間隔でらせん状に巻いてある。
本考案は、以上のような構成よる細口ノズルである。
【考案の効果】
【０００５】  本考案は、次のような効果がある。
（ア）上述の０００４アの構成で、狭くて曲がりくねったすき間や深くて狭いすき間の隅のほこりやごみを、
（イ）０００４イの構成で、深くて狭いすき間の隅のほこりやごみを、
（ウ）０００４ウの構成で、高くて狭い所のほこりやごみを、
それぞれ吸い取ることが容易にできる。
【考案を実施するための最良の形態】
【０００６】（ア）接続管１にホース２を接続することにより、ノズルの先とホースが自在になる。
（イ）０００６アのホース２の先にパイプ３を接続することにより、ノズルの先を深くて狭いすき間の隅のような細かい所まで届かせることができる。
（ウ）０００６イのパイプ３の先に針金を巻いたホース４を接続することにより、ノズルの先を高くて狭い所まで届かせることができる。
【実施例】
【０００７】  図３のように、接続管１にホース２を接続したもので、ノズルの方向を自在に動かして、狭くて曲がりくねったすき間やすき間の隅に吸い口の先をあてる。【０００８】  図５のように、ホース２の先に、パイプ３を接続したもので、深くて狭いすき間の隅の所に吸い口の先をあてる。【０００９】  図６のように、パイプ３の先に、針金を巻いたホース４を接続したもので、ノズルの先を自在に曲げて固定し、鴨居の上や障子の桟のような高くて狭い所に吸い口の先をあてる。
【図面の簡単な説明】
【００１０】
【図１】従来のすき間用ノズルである。
【図２】本考案各部の斜視図である。
【図３】本考案の実施例０００７の斜視図である。
【図４】接続管１とホース２を一体に成形したものの斜視図である。
【図５】本考案の実施例０００８の斜視図である。
【図６】本考案の実施例０００９の斜視図である。
【符号の説明】
【００１１】１  接続管
２  ホース
３  パイプ
４  針金を巻いたホース
【図１】
0003102785.tif 000003
【図２】
0003102785.tif 000004
【図３】
0003102785.tif 000005
【図４】
0003102785.tif 000006
【図５】
0003102785.tif 000007
【図６】
0003102785.tif 000008
(57)【要約】【課題】  この考案は、表面部分に位置する場所に物体の前部、裏面部分に位置する場所に物体の後部を同一面に印刷した後、二つ折りにしたカードに関するものである。【解決手段】  カードの表面に、物体の正面の絵柄や写真を印刷し、且つ、カードの裏面に物体の背面の絵柄や写真を輪郭を合わせて印刷する。【選択図】    図１
0003102787.tif 000002
【実用新案登録請求の範囲】
【請求項１】
複数折りの連結された紙やプラスチックシート等の表面にキャラクターの動物、物、人物、建物等の絵や写真を印刷し、裏面に位置する面には、表面に印刷した絵や写真の物体の輪郭に合わせて後姿や後方部を印刷したカード。
【考案の詳細な説明】
【技術分野】
【０００１】  この考案は、例えば、二つ折りのカードの表面にキャラクターの動物、物、人物、建物等の絵や写真を印刷し、二つに折った時、裏に位置する面に表面に印刷した絵や写真の物体の輪郭にほぼ合わせて後姿や後方部を印刷したカードに関するものである。
【背景技術】
【０００２】  従来のカードは、表面と裏面にそれぞれ別の絵柄や写真を印刷していた。
【考案の開示】
【考案が解決しようとする課題】
【０００３】本考案は、従来の概念から離れて、例えば、二つに折った紙やプラスチックシートにキャラクターの動物等の表面の印刷と裏面の後姿などの印刷を輪郭で一致させる事により、印刷したキャラクターの動物の絵等が平面のカードの中で立体感、存在感を持った。又、複数折りなので表面と裏面になる面を１回の印刷で済ますことができる。
【課題を解決する為の手段】
【０００４】解決手段を図面を追いながら説明すると
（イ）カードの表面１に、物体の絵や写真を印刷する。
（ロ）カードの裏面２に、表面の絵柄や写真の物体の輪郭に合わせて、その物体の後姿や後方部を印刷する。。
（ハ）連結された用紙やプラスチックシートから成り、二つに折ることで完成する。
（ニ）二つ折りする前は、カードの表面１とカードの裏面２は用紙の同一面に位置するので印刷は１回でできる。
（ホ）三つ折りや四つ折りの場合は、同一の用紙の面に横姿やミニカードを追加印刷する事ができる。
【考案の効果】
【０００５】  複数折りのカードの為、表面と裏面に動物などの前姿と後姿等が１回で印刷できる事。輪郭が一致または、視覚的にほぼ一致しているので平面のカードの絵柄や写真に立体感、存在感が生まれた。
【考案を実施するための最良の形態】
【０００６】  本考案は以上のような構造であるから、初めから二つ折りや三つ折り、四つ折りしたカードとしても良いし、カードを手に入れた人が自分で折り目部分で、二つ折りまたは三つ折り、四つ折りしてカードとして所持してもよい。
【産業上の利用可能性】
【０００７】  カードをひろげて見ることで物体の形状を正確に見られるようになった。
【図面の簡単な説明】
【図１】二つ折りする前のカードの用紙。
【図２】二つ折りした時のカードの内面。
【図３】二つ折りした時のカードの表面。
【図４】三つ折りする前のカードの用紙。
【図５】三つ折りした後のカードの平面図。
【符号の説明】
１は、カードの表面
２は、ハガキの裏面
３は、折り目
４は、カードの内面
５は、カードの側面
【図１】
0003102787.tif 000003
【図２】
0003102787.tif 000004
【図３】
0003102787.tif 000005
【図４】
0003102787.tif 000006
【図５】
0003102787.tif 000007
(57)【要約】【課題】人頭模型を支持し、かつ衣服を着用させて、理美容の総合的な効果を見せることを可能とし、製造コストが低く、運搬にも便利な、理美容技術練習用の肩模型を提供する。【解決手段】首から胸までの人間の形状を有し、頂部には人頭模型を接合させるための上側連結器を備え、底部には架台に固定させるための下側連結器を備える。【選択図】図２
0003102798.tif 000002
【実用新案登録請求の範囲】
【請求項１】
理容あるいは美容技術練習のための肩模型において、
首から胸までの人間の形状を有し、
頂部には人頭模型を接合させるための上側連結器を備え、
底部には架台に固定させるための下側連結器を備えることを特徴とする理容あるいは美容技術練習のための肩模型。
【請求項２】
前記上側連結器がロッド状であり、該上側連結器の表面に固定用かつ向き決定用の縦方向溝あるいは突起を備え、
該縦方向溝あるいは突起が少なくとも２つ以上あることを特徴とする請求項１に記載の理容あるいは美容技術練習のための肩模型。
【請求項３】
前記下側連結器が穴状であり、該下側連結器の側壁がゴム材からなり、
該側壁の表面に固定用かつ向き決定用の縦方向溝あるいは突起を備え、
該縦方向溝あるいは突起が少なくとも２つ以上あることを特徴とする請求項１又は２に記載の理容あるいは美容技術練習のための肩模型。
【請求項４】
前記肩模型の内部充填材が、発泡プラスチック等の軽量素材であることを特徴とする請求項１から３に記載の理容あるいは美容技術練習のための肩模型。
【考案の詳細な説明】
【技術分野】
【０００１】
本考案は、上部に理容あるいは美容技術練習用の人頭模型に取り付け、下部に架台を取り付けて使用するための肩模型に関する。
【背景技術】
【０００２】
理美容の授業等で整髪又は調髪の技術練習等を行う場合、人型模型を用いることが多い。しかしながら、従来の練習用人型模型は頭部のみ、あるいは首までのものに過ぎず、これを架台に直接取り付けて使用する場合が多かった。
【０００３】
特許文献１に開示されているように、整髪又は調髪の技術練習あるいは試験等を行う際、人頭模型を支持具等に取り付けて使用するが、理美容の全体的な効果を見せようとする場合、この種の模型の外観は実際の人間の体型や雰囲気とかけ離れているため、適切でないことは明らかである。
【特許文献１】特開２００１−０６１５５１
【考案の開示】
【考案が解決しようとする課題】
【０００４】
上記のような現状に鑑み、本考案の目的は、人頭模型を支持し、かつ衣服を着用させて、理美容の総合的な効果を見せることを可能とし、製造コストが低く、運搬にも便利な、理美容技術練習用の肩模型を提供することである。
【課題を解決するための手段】
【０００５】
請求項１に係る理美容技術練習用肩模型においては、首から胸までの人間の形状を有し、頂部には人頭模型を接合させるための上側連結器を備え、底部には架台に固定させるための下側連結器を備えることを特徴とする。
【０００６】
請求項２に係る理美容技術練習用肩模型においては、前記上側連結器がロッド状であり、該上側連結器の表面に固定用かつ向き決定用の縦方向溝あるいは突起を備え、該縦方向溝あるいは突起が少なくとも２つ以上あることを特徴とする。
【０００７】
請求項３に係る理美容技術練習用肩模型においては、前記下側連結器が穴状であり、該下側連結器の側壁がゴム材からなり、該側壁の表面に固定用かつ向き決定用の縦方向溝あるいは突起を備え、該縦方向溝あるいは突起が少なくとも２つ以上あることを特徴とする。
【０００８】
請求項４に係る理美容技術練習用肩模型においては、前記肩模型の内部充填材が、発泡プラスチック等の軽量素材であることを特徴とする。
【考案の効果】
【０００９】
以上の通り、本考案による理美容技術練習用肩模型は、人頭模型と架台との間に肩を形成する。そのため衣服を着用させた場合、従来の理美容用肩模型と比べて実際の人間の雰囲気に近くなり、理美容の総合的な効果をよりよく見せることができる。
【００１０】
また、本考案による理美容技術練習用肩模型は、人頭模型及び架台をはずすことができ、内部充填材が軽量素材であるため運搬や携帯が容易である。同時に、内部充填材は安価な材料であるため、生産コストを下げることも可能である。
【考案を実施するための最良の形態】
【００１１】
以下、図面を参照して本考案の実施の形態について説明する。
図１は、本考案による理美容技術練習用肩模型の概観断面図である。図示する通り、肩模型１は人間の首から胸部までの形状を有し、内部には発泡プラスチック等の軽量な充填材６を詰める。これにより肩模型１の軽量化が可能になる。
【００１２】
肩模型１の頂部における上側連結器２はロッド状になっており、その表面には人頭模型を取り付ける際に複数の位置決めを容易にするための縦方向溝（図示せず）あるいは突起３を備える。この縦方向溝あるいは突起２は、複数の方向への位置決めを容易にするために、少なくとも２つ又は２つ以上あることが望ましい。
【００１３】
肩模型底部の下側連結器５は穴状になっている。下側連結器の側壁４はゴム材とし、ゴム製カップを逆さにして取り付ける等の作業で簡単に設置することができる。また、上側連結器２と同様に、下側連結器５の内壁にも少なくとも２つ又は２つ以上の位置決め用手段とする縦方向溝（図示せず）あるいは突起３’を設けることが望ましい。
【００１４】
図２は、本考案による理美容技術練習用肩模型の使用時の概観断面図である。図示の通り、肩模型１を使用する場合には、肩模型頂部にあるロッド状の上側連結器２を人頭模型７の底部の穴に差し込む。その際、上側連結器２の表面には縦方向溝あるいは突起３が設置されているため、人頭模型７を複数の方向に固定することができる。この段階で、テーブル等に置いて使用することも可能である。
【００１５】
さらには、肩模型１の底部にある下側連結器５に架台８を差し込んで使用する。この状態で肩模型１に着衣させた場合、従来の理美容用人型模型と比べて、実際の人間の雰囲気に近くなり、理美容の総合的な効果をよりよく見せることができる。
【００１６】
前記下側連結器５の側壁４はゴム材であるため、弾性及び付着性を有する。そのため架台８の接続部分は下側連結器内に密着し堅固に固定され、下側連結器５に架台８を差し込んで直立させる際にも安定感を得ることができる。また、肩模型１と架台８が互いに伝動して回転してしまうことを避けることができる。
【図面の簡単な説明】
【００１７】
【図１】本考案による理美容技術練習用肩模型の概観断面図である。
【図２】図１に示した理美容技術練習用肩模型の使用時の概観断面図である。
【符号の説明】
【００１８】
１  肩模型
２  上側連結器
３  突起（上側）
３’突起（下側）
４  下側連結器側壁
５  下側連結器
６  充填材
７  人頭模型
８  架台
【図１】
0003102798.tif 000003
【図２】
0003102798.tif 000004
(57)【要約】【課題】犬，猫などペットの毛をトリミングしたり、爪切りを行う時にトリマーが手首より肘部に至る部分を引っ掻かれたり、咬まれたりするのを防護する。【解決手段】手首より肘部に至る部分を覆うようにサポーター本体１を天然ゴム又は合成ゴムなどの柔軟な可撓弾性材、好ましくはシリコンゴムにより扇形展開形状に形成し、該扇形展開形状本体の両側縁にそれぞれ互いに係合可能にホックあるいは布ファスナーの雌雄係合片２，３のような止着具を取り付けた。  【選択図】    図１
0003102799.tif 000002
【実用新案登録請求の範囲】
【請求項１】
手首より肘部に至る部分を覆うに足る扇形展開形状に形成された柔軟可撓弾性材からなる本体の両側縁に互いに係合可能に止着具を設けてなることを特徴とするペットのトリマー用サポーター。
【請求項２】
扇形展開形状に形成された本体がシリコンゴム材よりなり、本体の両側縁に設けられた係合可能な止着具が布ファスナーの雌雄係合片である請求項１記載のペットのトリマー用サポーター。
【考案の詳細な説明】
【技術分野】
【０００１】
本考案は主に犬，猫など、愛玩動物（ペット）の毛をトリミングしたり、爪切りを行うときにペットにより引っ掻かれたり、咬まれるのを防護するペットのトリマー用サポーターに関するものである。
【背景技術】
【０００２】
近時、犬，猫を始めペットを飼育する人口が増加し、これと共にペット関連ビジネスの１つとしてペットの毛をトリミングしたり、爪を切るなど、美容を施すことが広く行われている。
【０００３】
ところが、犬や猫などはトリマー達を引っ掻いたり咬んだりするため、トリミング作業や爪切り作業時にはそれらを防護する必要があるが、現在、適切な防護具がないため、トリマーは一般に長手袋様のものを使用したり、伸縮性布地を腕に巻いて作業を行っている。
【考案の開示】
【考案が解決しようとする課題】
【０００４】
しかし、長手袋様のものは使用時に細かい作業に不適であり、一方、伸縮性布地を腕に巻いて使用するにしても、犬や猫の爪が布地を通って内部に入り、腕に引っ掻き傷を生じることが避けられず、また、布地の上から咬まれることも屡々であった。
【０００５】
本考案は上述の如き実状に対処し、特に犬や猫など、ペットにトリミングを行ったり爪切りを施すにあたり、トリマーが引っ掻かれたり咬まれることなく、安心して作業を行うことが出来る防護具を提供することを目的とするものである。
【課題を解決するための手段】
【０００６】
本考案は上記目的を達成するため手首より肘部分に至る部分を覆うに足る扇形展開形状に形成された柔軟可撓弾性材からなる本体の両側縁に互いに係合可能に止着具を設けてなるペットのトリマー用サポーターを特徴とする。
【０００７】
請求項２は本考案の最も好ましい構成であり、扇形展開形状に形成された本体がシリコンゴム材よりなり、本体両側縁に設けられた係合可能な止着具が布ファスナーの雌雄係合片よりなることを特徴とする。
【考案の効果】
【０００８】
本考案は柔軟可撓弾性材で手首より肘部に至る部分を覆うように本体が形成されているため、犬や猫のトリミングや爪切りをするとき、該本体を当該部分外周に当接して本体両側縁の止着具を係合して腕に装着し犬，猫の毛のトリミングや爪切りを行えば、犬，猫が多少暴れても引っ掻かれたり咬まれる部分が柔軟可撓弾性材であるため内部に爪が通過したり破損したりすることがなく、快適にトリミング作業や爪切りを行うことができる。
特に本体をシリコンゴム材を用いて形成するときは頗る丈夫であり、犬，猫の引っ掻きや咬み合わせに対しても破損されない有利さがある。
【考案を実施するための最良の形態】
【０００９】
以下、更に添付図面にもとづいて本考案の実施の形態を説明する。
図１は本考案に係るペットのトリマー用サポーターの好ましい１例であり、１は扇形展開形状に作成されたサポーター本体で、その両側縁には互いに係合可能な止着具２，３が設けられている。
【００１０】
扇形展開形状に形成されたサポーター本体１は、天然又は合成ゴムよりなる柔軟可撓弾性材、好ましくはシリコンゴム材によって所要の拡がり、通常、トリマーの手首から肘部に至る間、換言すればトリミング時に犬，猫などペットによって最も引っ掻かれやすい個所、あるいは咬まれる個所を覆う大きさをもって形成されている。
特にシリコンゴムは引っ掻き又は咬合に際して殆ど又は全く爪を通すことはなく、防護上、最も有効である。
なお、上記サポーター本体１は柔軟可撓弾性材のみで形成してもよいが、夏季において汗吸収をよくするため内面に繊維布を添着せしめてもよい。
【００１１】
サポーター本体１の両側縁に取着される止着具は、本体１をトリマーの腕に巻回したとき、互いに係合可能であればよく、ホック等も使用可能であるが、平面性を維持する上から図示の如き雌雄の布ファスナー２，３からなる係合片を用いるのが好適である。
勿論、この雌雄布ファスナー２，３は図示のように両側縁で数段に分けて互いに係合し得るようにしてもよいが、上下に連続する互いに１枚の係合片で形成してもよい。
【００１２】
かくして犬，猫等、ペットに対しトリミングを施しあるいは爪切りなど美容を行うにあたり、上記サポーター本体１を腕に巻き付け両側縁を止着して適宜、トリミングあるいは爪切りを行えば、サポーター本体の素材によりペットの爪による引っ掻きが阻止され、また、咬まれることもなく安全に操作することができる。
【図面の簡単な説明】
【００１３】
【図１】本考案に係るサポーター本体の展開図である。
【図２】図１のＡ−Ａ線断面図である。
【符号の説明】
【００１４】
１；サポーター本体
２，３；止着具      
【図１】
0003102799.tif 000003
【図２】
0003102799.tif 000004
(57)【要約】【課題】  安価に製造でき容易に再利用可能で宣伝広告機能を備える。【解決手段】  グリーンマーカー１は、樹脂成型部材からなり鍔部１０とピン部２０とを備え、鍔部１０の表示部１１には文字３０ａや図柄３０ｂを有する広告媒体３０が表示されている。広告媒体３０は、例えばシール層３３が形成されたシール部材からなり、表示部１１に貼着されている。広告媒体３０を差し換えればグリーンマーカー１を再利用することができ、コストダウンを図ることができる。【選択図】  図１
0003102800.tif 000002
【実用新案登録請求の範囲】
【請求項１】
扁平状に形成された鍔部と、この鍔部の一方の面に突設された円柱状又は円錐状のピン部とを備えて構成され、地面などの差込部に前記ピン部を差し込んで使用する樹脂成型部材からなるグリーンマーカーであって、
前記鍔部は、他方の面に宣伝広告のための所定の文字や図柄などを有する広告媒体を表示する表示部を備えている
ことを特徴とするグリーンマーカー。
【請求項２】
前記広告媒体は、前記所定の文字や図柄などが平面的又は立体的に印刷形成されて前記表示部に貼着されるシール部材からなる
ことを特徴とする請求項１記載のグリーンマーカー。
【考案の詳細な説明】
【技術分野】
【０００１】
本考案は、ゴルフにおいて球を拾い上げる際の球の位置の目印として用いられるグリーンマーカーに関する。
【背景技術】
【０００２】
従来より、ゴルフのプレイ中に、グリーン上で球を拾い上げる場合などにその球の位置をマークするものとしていわゆるグリーンマーカー（ボールマーカー）が一般的に使用されている。
【０００３】
このグリーンマーカーは、通常、目印となる鍔部（マーカー部）と、この鍔部の一方の面に突設され地面などの差込部に差し込まれるピン部（脚部）とを備えて構成されており、その中には、例えば鍔部の他方の面に宣伝広告目的の文字や図形などを有する転写印刷物を焼き付けて一体的に形成したものが知られている。
【考案の開示】
【考案が解決しようとする課題】
【０００４】
しかしながら、このようなグリーンマーカーでは、転写印刷物を鍔部に焼き付けて一体的に形成するため、一旦グリーンマーカーを製造してしまうと転写印刷物の差し換えができず、資源の節約や再利用の観点から好ましいとはいえない場合がある。また、素材にセラミックを含むため、コストが高くなってしまうという問題がある。
【０００５】
本考案は、このような問題点に鑑みてなされたもので、安価に製造可能で容易に再利用することができ宣伝広告機能を備えるグリーンマーカーを提供することを目的とする。
【課題を解決するための手段】
【０００６】
本考案に係るグリーンマーカーは、扁平状に形成された鍔部と、この鍔部の一方の面に突設された円柱状又は円錐状のピン部とを備えて構成され、地面などの差込部に前記ピン部を差し込んで使用する樹脂成型部材からなるグリーンマーカーであって、前記鍔部は、他方の面に宣伝広告のための所定の文字や図柄などを有する広告媒体を表示する表示部を備えていることを特徴とする。
【０００７】
なお、広告媒体は、例えば所定の文字や図柄などが平面的又は立体的に印刷形成されて表示部に貼着されるシール部材からなると良い。
【考案の効果】
【０００８】
本考案によれば、グリーンマーカーが樹脂成型部材からなり、その扁平状の鍔部が、宣伝広告のための所定の文字や図柄などを有する広告媒体を表示する表示部を備える。このため、安価に宣伝広告機能を備えるグリーンマーカーを製造することができる。
【０００９】
また、表示部に表示される広告媒体として、鍔部の表示部に貼着されると共に所定の文字や図柄などが平面的又は立体的に印刷形成されたシール部材を用いれば、容易に広告媒体を差し換えることができる。このため、安価で容易に再利用可能なグリーンマーカーを製造することができる。
【考案を実施するための最良の形態】
【００１０】
以下、添付の図面を参照して、本考案の好ましい実施の形態を説明する。
【００１１】
図１は、本考案の一実施形態に係るグリーンマーカーを示す分解斜視図、図２は、このグリーンマーカーを示す外観斜視図である。
【００１２】
グリーンマーカー１は、例えば樹脂成型部材からなり、扁平の円盤状に形成された鍔部１０と、この鍔部１０の一方の面に突設された円柱状又は円錐状のピン部２０とを備えて構成され、ピン部２０をゴルフコースのグリーンや地面、ゴルフクラブのグリップ部などの図示しない差込部に差し込み、鍔部１０のピン部２０形成側と反対側の面をいわゆる目印として露出させて使用するものである。
【００１３】
そして、このグリーンマーカー１の鍔部１０のピン部２０形成側と反対側の面には、例えば宣伝広告のための所定の文字３０ａや図柄３０ｂを有する広告媒体３０を表示する表示部１１が形成されている。
【００１４】
また、ピン部２０の先端部２１は、いわゆる半球状に形成され、上記差込部にグリーンマーカー１を差し込まない場合に、ピン部２０が人体などに刺さったりして悪影響の出ないように形成されている。
【００１５】
なお、この例では、広告媒体３０は、例えば表面３１に文字３０ａや図柄３０ｂが平面的又は立体的に印刷形成されると共に、裏面３２に接着能力を有するシール層３３が形成されたシール部材からなり、鍔部１０の表示部１１にシール層３３を介して貼着されている。
【００１６】
このように構成されたグリーンマーカー１では、鍔部１０及びピン部２０が樹脂成型部材からなるため、安価に製造することができると共に、鍔部１０が広告媒体３０を表示する表示部１１を備えるため、安価に宣伝広告機能を備えることができる。また、広告媒体３０が例えばシール部材からなるため、容易に表示部１１から剥がして他の文字３０ａや図柄３０ｂが形成された広告媒体に差し換えリサイクルに供することが可能となる。このため、グリーンマーカーの再利用を可能にしてコストダウンを実現することができる。
【産業上の利用可能性】
【００１７】
本考案は、グリーンマーカーを使用して宣伝広告を行う各種の用途に利用できる。
【図面の簡単な説明】
【００１８】
【図１】本考案の一実施形態に係るグリーンマーカーを示す分解斜視図である。
【図２】同グリーンマーカーを示す外観斜視図である。
【符号の説明】
【００１９】
１…グリーンマーカー、１０…鍔部、１１…表示部、２０…ピン部、２１…先端部、３０…広告媒体、３０ａ…文字、３０ｂ…図柄、３１…表面、３２…裏面、３３…シール層。
【図１】
0003102800.tif 000003
【図２】
0003102800.tif 000004